(57)【要約】      （修正有）【課題】吸音性能、耐久性、安全性、断熱・緩衝性を備えつつ、室内のインテリアや周囲の環境に溶け込む意匠性を持たせた吸音材ピース及びこれを用いた加飾集合体を提供する。【解決手段】ポリエステル繊維による吸音材およびその加飾性の向上が主眼であり、ポリエステル繊維からなる不織集積体１を芯材とし、その表面に表面材２としてカラーリングされたクロス材を積層し、更に裏面に粘着材層３を積層し、正面視で好ましくは正六角形状に形成した吸音材ピース１０およびこれを用いた加飾集合体とする。【選択図】図２
2019028143.tif 000002
【特許請求の範囲】
【請求項１】
ポリエステル繊維からなる不織集積体を芯材とし、その表面にクロス材を積層し、更に裏面に粘着材を積層し、正面視で正多角形状に裁断形成したことを特徴とする吸音材ピース。
【請求項２】
ポリエステル繊維からなる不織集積体は、熱プレスにて圧縮率を１５〜８５％とした請求項１記載の吸音材ピース。
【請求項３】
粘着材は、アクリル系粘着材である請求項１又は２記載の吸音材ピース。
【請求項４】
クロス材が、複数色をもって構成された請求項１乃至３いずれか１に記載の吸音材ピース。
【請求項５】
正面視で正六角形状である請求項１乃至４いずれか１に記載の吸音材ピース。
【請求項６】
請求項１乃至５に記載の吸音材ピースの各辺同士を対向させ、壁面に任意の形状に粘着配列したことを特徴とする加飾集合体。
【発明の詳細な説明】
【技術分野】
【０００１】
本発明は壁等に施す吸音材ピース及びこれを用いた加飾集合体であって、平面視で正多角形状をなす吸音材ピースであり、更に言えば、複数の吸音材ピースの各辺を対向させて形状自在に配列構成して、室内のインテリアに溶け込む加飾効果を有する加飾集合体にかかるものである。
【背景技術】
【０００２】
従来より壁等の全面に貼り合わせる吸音材は存在するが、通常はその主体がウレタンフォーム材であってその表面に塩ビシートが貼り付けられている。しかるに、かかる主体のフォーム材は耐久性に難があることが知られており、更には、火災時には有毒ガスが発生する等が指摘されている。
【０００３】
そして、上記の吸音材にあっては、表面材はモノトーンが採用され、これを壁全体に貼り合わせる仕様とされており、吸音材ピースの思想はなく、いわんや室内のインテリアや周囲の環に溶け込むような加飾性を備えた加飾集合体は考慮されていない。正方形の床ピースを床全面に敷き詰めてカーペットの代りとする方法はあるが、これは壁面に配列する考えはなく、壁面に配列して加飾性にすぐれた自由形状の集合体を提供するものではない。
【発明の開示】
【発明が解決しようとする課題】
【０００４】
本発明は従来の吸音材における考え方を基本から変えたものであって、吸音性能、耐久性、安全性、断熱・緩衝性を備えつつ、室内のインテリアや周囲の環境に溶け込む意匠性を持たせた吸音材ピース及びこれを用いた加飾集合体を提供するものである。即ち、多角形のピースにしているため、用途に合わせてピースの数や貼る位置が自在となるために、住空間における騒音問題を解決し、かつ音の響きの調整の自由さ、し易さをもたらし、更にインテリア性の向上を付加したものである。
【課題を解決するための手段】
【０００５】
本発明の第１の要旨は、ポリエステル繊維による吸音材およびその加飾性の向上をその主眼としたもので、発明の第１は、ポリエステル繊維からなる不織集積体を芯材とし、その表面に表面材としてカラーリングされたクロス材を積層し、更に裏面に粘着材を積層し、正面視で正多角形状、好ましくは正六角形状に形成した吸音材ピースを提供するものである。
【０００６】
そして、発明の第２の要旨は、前記した発明の第１における吸音材ピースを複数個用い、その正多角形状の辺を対向させて壁面に自由配列する加飾集合体を提供するものである。
【発明の効果】
【０００７】
発明の第１にあって、壁面に配置して音響効果・騒音低減効果を狙ったものであり、安全性の高い芯材を用い、表材をカラフルにして意匠性を付与し、かつ正面視で正多角形状好ましくは正六角形状としたことにより壁面への配置に便ならしめたものである。
【０００８】
発明の第２にあって、正多角形上状、好ましくは正六角形状とした前記吸音材ピースをその辺を対向させて壁面に自由配列した加飾集合体であって、集合体全体として任意の形状・デザインとすることができ、室内のインテリアや環境にマッチすることができることとなったもので、音響効果、騒音低減効果をもたらしながら壁面の任意の個所に任意の形状・色彩をもって、自由に配列施工することを可能にしたものである。
【図面の簡単な説明】
【０００９】
【図１】図１は発明の第１における吸音材ピースの第１実施例を示す平面図である。
【図２】図２は図１における吸音材ピースのＡ−Ａ線での断面図である。
【図３】図３は発明の第１における吸音特性（垂直入射法）を示すグラフである。
【図４】図４は発明の第１における吸音材ピースの第２実施例を示す平面図である。
【図５】図５は発明の第２における加飾集合体の第１実施例を示す平面図である。
【発明を実施するための形態】
【００１０】
発明の第１における吸音材ピースは、吸音性、耐久性、安全性、断熱・緩衝性を有しつつ、インテリアに溶け込む意匠性を持たせた構造を有するものであり、その構造及び形状を特定したことによって壁面への施工性を高めたものである。
【００１１】
発明の第２における加飾集合体は、前記の構造及び形状を特定した吸音材ピースを利用し、壁面に任意の形状に配列したものであり、住空間における騒音問題を解決するだけでなく、音の響きの調整の自由さ、施工の簡便さ、インテリア性の向上等、言ってみれば、音と空間をデザインする集合体である。
【００１２】
従来から知られている吸音材にあっては、ウレタンフォームやガラスウールが用いられているが、前者の場合には経年劣化による耐久性に難があり、又燃焼時の有毒ガスの発生などの問題がある。一方、グラスウールの場合には、ガラス繊維が肌に刺さる独特の刺激感があるため、屋内での使用には不向きであった。
【００１３】
発明の第１は吸音材ピースとして構成したものであり、芯材としてポリエステル繊維からなる不織集積体を用い、その表面にカラーリングされたクロス材を表面材として積層し、更に裏面に粘着材を積層し、正面視で特定の形状に形成したもので、デザイン性・施工性の面で正六角形状とするのがよく、吸音効果と加飾性を同時にもたらしたものである。
【００１４】
芯材としてポリエステル繊維集積体を使用しているため、耐久性、断熱性、安全性に優れ、従来の欠点を解決したものといえる。かかる集積体はポリエステル繊維不織体を熱プレスにて圧縮率を１５〜８５％としたものであり、厚さは好ましくは２０〜３０ｍｍ程度がよい。
更に言えば、ポリエステル繊維集積体は、微小な繊推体であり、音を吸収しやすく、乱反射を防ぐことで音を聞きやすくしたり、騒音を小さくしたり、低音から高音までしっかり吸収する材料として最高レベルの防音性能を持つ吸音材料である。
【００１５】
前記の芯材の表面材としてカラーリングされたクロス材が積層される。積層方法は任意の手段でよいが、例えばホットメルト方法や粘着材による積層方法が採用できる。かかるクロス材は一つの芯材に対して一色又は複数色をもって構成される。即ち、表面材の色を任意に選択して配列することにより、後述する加飾集合体のデザイン性を向上させることとなる。
【００１６】
芯材の裏面には粘着層が積層される。粘着材層は、ブチル系、シリコン系、アクリル系等があるが、中でもアクリル系粘着材であるのが好ましく、中央にフィルム等のシートを有するいわゆる両面テープ状のものが好ましい。即ち、粘着と剥離を繰り返すことが可能な粘着層を有し、これらの作業の際に壁面や壁紙等を傷つけずに施工することが可能としたものである。なお、壁面に貼付けるだけで断熱・防音性能が見込めることとなる。
【００１７】
芯材に表面材及び粘着材層が積層された後に正面視で正多角形状、デザイン上さらには配列のしやすさ等から最適には正六角形状に裁断されて吸音材ピースが得られる。このような形状に裁断することによって、壁面への配列が容易になり、作業性がよく、かつ子供たちにとっては遊び心の面でも優れたものとなった。このように、吸音材ピースを特定の形状とすることで、壁面に効率よくかつ無駄なく、誰でも簡単に配列・施工を可能としたものである。
【００１８】
かかる吸音材ピースを壁面に配列してなる発明の第２における加飾集合体は、上記の特定の形状に裁断された吸音材ピースの夫々の辺を対向させて壁面に任意のデザインに配列してなるものであり、音響効果、騒音低減効果、断熱性等を確認しながら、任意の形状に自由に配列・施工することを可能にしたものである。勿論、室内のインテリアや周囲の環境にマッチさせて表面材のカラーを任意に選択し、これらを自在に組み合わせてデザイン性を向上させることとなる。
【実施例】
【００１９】
図１は発明の第１における吸音材ピース１０の第１実施例を示す平面図であり、図２は図１におけるＡ−Ａ線での断面図である。図中、１はポリエステル繊維不織体を熱プレス（５０％圧縮）し、厚さを３０ｍｍとしたものである。２は芯材１の表面に積層されたポリエステル織布からなる表面材であり、ホットメルト法によって積層されている。３は芯材１の裏面に積層されたアクリル系粘着材層であり、これは芯材１に自着により積層されている。
【００２０】
かかる吸音材ピース１０は、正面視で正六角形状４をなしており、各層が積層された後に正六角形状に裁断されたものである。なお、この例では表面材２は全体が赤色（Ｒで表示）としたものである。
【００２１】
図３は発明の第１における吸音特性（垂直入射法）の一例を示すグラフであるが、大変滑らかな吸音特性を有するため、ピースの数や壁面に貼る位置を細かく、自在に組み合わせることができるので、騒音の低減量、音質の調整等が最適にできることとなる。なお、この例ではピースの厚さを３５ｍｍのもので示したが、ピースの厚さは任意に調整し、揃えることができる。
【００２２】
図４は発明の第１における吸音材ピース１０の第２実施例を示す平面図である。この例では、表面材２が３色(赤：Ｒ、青：Ｂ、黄：Ｙ)をもって構成されている例である。
【００２３】
図５は発明の第２における加飾集合体の第１実施例を示す平面図である。即ち、図１に示す吸音材ピース１０にあって、正六角形状の辺を対向（この例では接触対向）させて壁面Ｗに自由配列した加飾集合体２０を示している。かかる吸音材ピース１０にあって、表面材２が赤（Ｒ）、青（Ｂ）、黄（Ｙ)の単色をもって構成されている例で、これらを交互に配列した例である。勿論、粘着材層をもって壁面Ｗに着脱自在とされたものである。
【産業上の利用可能性】
【００２４】
発明の第２について言及すると、好ましくは正六角形状とした発明の第１の吸音材ピースをその辺を対向させて壁面に自由配列した加飾集合体であり、集合体全体として任意の形状・デザインとすることができ、室内のインテリアや環境にマッチすることができることとなったものである。
【００２５】
即ち、音響効果、騒音低減効果をもたらしながら壁面の任意の個所に任意の形状・色彩をもって、自由に配列施工することを可能にしたもので、例えば室内に設置したピアノの近傍の壁面のみにかかる加飾集合体を配列することによって吸音効果を備えることとなったものである。勿論、吸音体ピースの表面材のカラーを自由選択し、ピアノの色合いや周囲の環境にマッチさせ、室内のデザイン性を向上させることともなる。
【符号の説明】
【００２６】
１  ポリエステル繊維不織体
２  表面材
３  粘着材層
１０  吸音材ピース
２０  加飾集合体
Ｒ  赤色
Ｂ  青色
Ｙ  黄色
Ｗ  壁面
【図１】
2019028143.tif 000003
【図２】
2019028143.tif 000004
【図３】
2019028143.tif 000005
【図４】
2019028143.tif 000006
【図５】
2019028143.tif 000007